(57)【要約】【課題】  治具ベース１０の挿通孔１１内にコイルバネ２０を収納し、プランジャー２２の頭部を所定レイアウトで突設して検査ヘッドを形成したプリント配線基板の検査治具において、高密度プリント配線基板の検査に適合するため、バネプローブの細径ピッチ化を図る場合に、組立作業性の向上により製作コストの低減するとともに、安定した動作により精度の高い検査を可能とした検査治具を提案する。【解決手段】  治具ベース１０を複数枚のプレート１２、１３、１４を積層して形成し、プランジャー２２の下半部に下方へ延びる細径部２２ａを形成し、この細径部２２ａをコイルバネ２０内に挿入して一体としたバネプローブ２４を形成し、このバネプローブ２４を上方から挿通孔１１内に挿入した後、上段の保護プレート１４を取り付けて組み付けることを特徴とする。【選択図】  図１
2005292060.tif 000002
【特許請求の範囲】
【請求項１】
コイルバネ２０上にプランジャー２２を載置し、治具ベース１０の挿通孔１１内にコイルバネ２０を収納し、プランジャー２２の頭部を所定レイアウトで突設して検査ヘッドを形成したプリント配線基板の検査治具において、
治具ベース１０を複数枚のプレート１２、１３、１４を積層して形成し、プランジャー２２の下半部に下方へ延びる細径部２２ａを形成し、この細径部２２ａをコイルバネ２０内に挿入して一体としたバネプローブ２４を形成し、このバネプローブ２４を上方から挿通孔１１内に挿入した後、上段の保護プレート１４を取り付けて組み付けることを特徴としたプリント配線基板の検査治具。
【請求項２】
治具ベース１０の底面から導出されるリード線３０を、先端をスリーブ３２内に挿入してカシメて結合し、スリーブ３２を上方から挿通孔１１内に挿入して係止した後、バネプローブ２４を挿通孔１１内に挿入し、コイルバネ２０の底面をスリーブ３２に当接させて係止した請求項１に記載のプリント配線基板の検査治具。
【請求項３】
細径部２２ａの下端をコイルバネ２０の底面から突設し、スリーブ３２内に挿入した請求項２に記載のプリント配線基板の検査治具。
【請求項４】
コイルバネ２０にコーテイングを施した請求項１、２又は３に記載のプリント配線基板の検査治具。
【発明の詳細な説明】
【技術分野】
【０００１】
この発明は、プリント配線基板の電気的接続を検査するために用いる検査治具に関するもので、特に、高密度プリント配線基板の検査に適合するため、極めて狭ピッチの検査ヘッドを備えたプリント配線基板の検査治具に関するものである。
【背景技術】
【０００２】
プリント配線基板の配線パターンの電気的接続を検査する方法として、検査ヘッドを備えた検査治具を検査装置に設置し、所定検査接点間の配線の導通状態を検査する手段が取られている。かかる検査手段で用いる検査治具として、ロングピン（プローブピン）を検査接点に当接させる従来のものに代わり、特開２００２−４８８１６号（特許文献１）に示すように、コイルバネ上にプランジャーを載置したバネプローブを用い、治具ベースの挿通孔内にコイルバネを収納し、プランジャーの頭部を所定レイアウトで突設して検査ヘッドを形成したものがある。この検査治具は、検査ヘッドをプリント配線基板に対向させて検査装置に設置し、プランジャーの頂端を検査接点に当接させて検査接点間の導通状態を検査するものである。
【０００３】
一方、高密度実装技術の進展によりプリント配線基板の配線回路は高密度化し、近年では極めて狭ピッチ（０．５ｍｍ以下）の検査ヘッドを備えた検査治具が求められている。バネプローブを用いた検査治具においては、こうした高密度プリント配線基板の検査に適合するため、バネプローブ（プランジャー）の間隔の狭ピッチ化とバネプローブ自体の細径化が図られている。
【特許文献１】特開２００２−４８８１６号公報
【発明の開示】
【発明が解決しようとする課題】
【０００４】
このようにしてバネプローブの細径ピッチ化、さらには極細径ピッチ化を図る場合、構成部品の取り扱いが煩雑となって組立作業性が著しく劣り、製作コストが高価となった。また、バネプローブの強度の低下や進退動作の不安定化を招き、検査精度が低下するなどの動作上の課題があった。
【０００５】
この発明は、新規構成のプリント配線基板の検査治具を提供してこれらの課題を解決することを目的とするもので、高密度プリント配線基板の検査に適合するため、バネプローブの細径ピッチ化を図った検査治具において、組立作業性の向上により製作コストの低減を図るとともに、安定した動作により精度の高い検査を可能とした検査治具を提案するものである。
【課題を解決するための手段】
【０００６】
こうした目的を達成するため、この発明は、コイルバネ２０上にプランジャー２２を載置し、治具ベース１０の挿通孔１１内にコイルバネ２０を収納し、プランジャー２２の頭部を所定レイアウトで突設して検査ヘッドを形成したプリント配線基板の検査治具において、治具ベース１０を複数枚のプレート１２、１３、１４を積層して形成し、プランジャー２２の下半部に下方へ延びる細径部２２ａを形成し、この細径部２２ａをコイルバネ２０内に挿入して一体としたバネプローブ２４を形成し、このバネプローブ２４を上方から挿通孔１１内に挿入した後、上段の保護プレート１４を取り付けて組み付けることを特徴とするものである。
【０００７】
また、治具ベース１０の底面から導出されるリード線３０を、先端をスリーブ３２内に挿入してカシメて結合し、スリーブ３２を上方から挿通孔１１内に挿入して係止した後、バネプローブ２４を挿通孔１１内に挿入し、コイルバネ２０の底面をスリーブ３２に当接させて係止するものである。
【０００８】
また、この発明のプリント配線基板の検査治具は、細径部２２ａの下端をコイルバネ２０の底面から突設し、これをスリーブ３２内に挿入し、プランジャー２２の進退動作の安定を図るように構成するものである。
【０００９】
また、検査ヘッドの狭ピッチ化に伴い、隣接するコイルバネ２０が接触して導通する危険を回避するため、コイルバネ２０にコーテイングを施すものである。
【発明の効果】
【００１０】
この発明のプリント配線基板の検査治具は、バネプローブ２４を、プランジャー２２の下半部に形成した細径部２２ａをコイルバネ２０内に挿入して予め一体として形成し、このバネプローブ２４を上方から挿通孔１１内に挿入した後、上段の保護プレート１４を取り付けて組み付けるので、バネプローブ２４の取り扱いと組み付けを容易とし、組立作業性の向上により製作コストの低減を図ることができる。また、検査ヘッドのレイアウトに応じたバネプローブ２４のレイアウトの改変も容易で、異なる検査装置による様々な配線パターンの高密度プリント配線基板の検査に適用可能である。
【００１１】
また、バネプローブ２４を、従来のコイルバネ２０上にプランジャー２２を載置しただけの構造に代わり、細径部２２ａをコイルバネ２０内に挿入した一体構造としたので、バネプローブ２４の強度の向上が図られるとともに、細径部２２ａがコイルバネ２０にガイドされるので、プランジャー２２の揺動や振れを防止することができ、バネプローブ２４の上下動進退動作の安定化により、精度の高い検査を可能とするものである。
【発明を実施するための最良の形態】
【００１２】
以下にこの発明の実施の形態を、図面を用いて具体的に説明する。
図１は、この発明のプリント配線基板の検査治具の最初の実施例で、検査治具の要部の構成を示した断面図である。図に示すように、この検査治具は、コイルバネ２０上にプランジャー２２を載置したバネプローブ２４を用い、矩形盤状の治具ベース１０からプランジャー２２の頭部を所定レイアウトで突設して検査ヘッドを形成している。治具ベース１０の底面からはリード線３０が導出され、測定器側コネクタを接続するコネクタに配線される。
【００１３】
プランジャー２２はコイルバネ２０の外径と略同一径に形成され、その下半部は先鋭化して下方へ延びる細径部２２ａを形成している。図２に示すように、バネプローブ２４は、細径部２２ａをコイルバネ２０内に挿入し、プランジャー２２の上半部をコイルバネ２０上に載置した状態で一体として形成されている。また、リード線３０の先端をスリーブ３２内に挿入し、スリーブ３２の外周面をカシメ加工することで一体に結合されている。各部材は電気的に導通する金属材料で形成され、プランジャー２２とリード線３０は、コイルバネ２０、スリーブ３２を介して電気的に導通している。
【００１４】
治具ベース１０は、３枚のプレート１２、１３、１４を積層して形成され、それぞれに上下に貫通した多数の挿通孔１１ａ、１１ｂ、１１ｃが所定レイアウトで配置され、各挿通孔１１ａ、１１ｂ、１１ｃの位置を揃えて３枚が重ねられている。最下段のプレート１２の挿通孔１１ａには、上面からザグリ加工することで段差係止部１１ａａが形成され、スリーブ３２を係止して脱落を防止している。中段のプレート１３の挿通孔１１ｂ内にバネプローブ２４が収納され、上段のプレート１４は、プランジャー２２の脱落を防止する保護プレートである。
【００１５】
図３、４に、この検査治具の組み付け手順を示す。
最初に、プレート１２の上方から、リード線３０を結合したスリーブ３２を所定の配置に従って挿通孔１１ａ内に挿入する。スリーブ３２は段差係止部１１ａａで係止され、これにプレート１３を取り付ける（図３の状態）。
【００１６】
次に、予めコイルバネ２０とプランジャー２２が一体とされてたバネプローブ２４を、プレート１３の上方から挿通孔１１ｂ内に挿入する。バネプローブ２４は、コイルバネ２０の底面をスリーブ３２に当接して係止され、挿通孔１１ｂ内に収納される（図４の状態）。これに上段の保護プレート１４を取り付けて検査治具は組み付けられ、プランジャー２２の頭部を所定レイアウトで突設した検査ヘッドが形成される。
【００１７】
このようにして組み立てた検査治具を用い、上治具と下治具の一対を検査ヘッドを対向させて検査装置に設置し、上治具と下治具の間にプリント配線基板をセットする。そして、検査装置において上方から押圧し、検査ヘッドのプランジャー２２の頂端をプリント配線基板の検査接点に当接させ、検査接点間の導通状態を検査する。検査時の押圧でコイルバネ２０が収縮してプランジャー２２が進退し、押圧の大きさに応じてコイルバネ２０が伸縮することで押圧が吸収される。
【００１８】
図５は、この発明の検査治具の他の実施例で、検査治具の要部の構成を示した断面図であり、図に示すように、前例よりもさらにバネプローブ２４の間隔を狭ピッチとしたものである。前例と同様に、バネプローブ２４は、プランジャー２２の細径部２２ａをコイルバネ２０内に挿入して一体として形成され、図６に示すように、細径部２２ａは下方へ延びて下端をコイルバネ２０の底面から突設している。この検査治具は前例と同様な手順で組み付けられ、バネプローブ２４を挿通孔１１ｂ内に収納した状態で、細径部２２ａの下端をスリーブ３２内に挿入している。このように構成することで、検査時の押圧によるコイルバネ２０の収縮時に、プランジャー２２の進退動作の安定が図られている。
【００１９】
治具ベース１０は、４枚のプレート１２ａ、１２ｂ、１３、１４を積層して形成され、挿通孔１１ａ、１１ｂ、１１ｃは、バネプローブ２４の細径化に伴ってストレートに開孔することが困難となり、ザグリ加工による段加工で形成されている。スリーブ３２は、下段の２枚のプレート１２ａ、１２ｂを重ねて形成される挿通孔１１ａ内に上方から挿入され、最下段のプレート１２ａの傾斜段差面１１ａｂで係止されている。このようにして、検査ヘッドの狭ピッチ化を図った場合、隣接する挿通孔１１ｂが連通し、隣接したコイルバネ２０が収縮動作において接触して導通する危険がある。この危険を回避するため、接触した場合にも導通することがないように、コイルバネ２０にコーティングが施されている。
【図面の簡単な説明】
【００２０】
【図１】この発明の最初の実施例の構成を示す説明図で、要部の断面図。
【図２】バネプローブの正面図。
【図３】組み付け手順を示す説明図で、スリーブを取り付けた状態の断面図。
【図４】バネプローブを取り付けた状態の断面図。
【図５】この発明の他の実施例の構成を示す説明図で、要部の断面図。
【図６】バネプローブの正面図。
【符号の説明】
【００２１】
１０  治具ベース
１１  挿通孔
１２、１３、１４  プレート
２０  コイルバネ
２２  プランジャー
２２ａ  細径部
２４  バネプローブ
３０  リード線
３２  スリーブ
【図１】
2005292060.tif 000003
【図２】
2005292060.tif 000004
【図３】
2005292060.tif 000005
【図４】
2005292060.tif 000006
【図５】
2005292060.tif 000007
【図６】
2005292060.tif 000008